(57)【要約】【課題】モータとインバータとが一体化されたモータユニットにおいて、インバータハウジングに設けられた放熱フィンの強度向上を図る。【解決手段】インバータが、複数のスイッチング素子３ｂ１を有するコアユニットと、コアユニットを覆うインバータハウジング３ａとを有し、インバータハウジング３ａは、コアユニットを収容する囲壁３ｃと、囲壁３ｃの外壁面に立設されたリブ３ｇと、囲壁３ｃの外壁面及びリブ３ｇに接続された複数の放熱フィン３ｈとを有している。【選択図】図２
2020137205.tif 000002
【特許請求の範囲】
【請求項１】
モータとインバータとが一体化されたモータユニットであって、
前記インバータは、
複数のスイッチング素子を有するコアユニットと、
前記コアユニットを覆うインバータハウジングと
を有し、
前記インバータハウジングは、
前記コアユニットを収容する囲壁と、
前記囲壁の外壁面に立設されたリブと、
前記囲壁の外壁面及び前記リブに接続された複数の放熱フィンと
を有する
ことを特徴とするモータユニット。
【請求項２】
前記インバータハウジングは、
ファンに対向配置される受風領域に対して設けられかつ複数の前記リブと複数の前記放熱フィンとを有する放熱部を有する
ことを特徴とする請求項１記載のモータユニット。
【請求項３】
前記放熱部の前記リブは、前記放熱フィンよりも厚くかつ前記ファン側から見て前記スイッチング素子を避けて配置されていることを特徴とする請求項２記載のモータユニット。
【請求項４】
前記囲壁は、前記ファン側から見て前記コアユニットを覆うと共に前記放熱部が設けられた天壁部と、前記天壁部の縁部から前記コアユニットの側面に沿って延出する側壁部とを有し、
前記インバータハウジングは、前記側壁部の外壁面に立設されると共に前記側壁部の前記天壁部からの延出方向に沿って延びる側壁放熱フィンを複数備え、
前記側壁放熱フィンの配列間隔は、前記放熱部の前記放熱フィンの配列間隔よりも広い
ことを特徴とする請求項２または３記載のモータユニット。
【請求項５】
前記インバータハウジングは、前記モータのシャフトが挿通される貫通開口を有し、
前記放熱部は、前記リブとして、前記貫通開口を囲う環状リブと、環状リブを中心として前記環状リブから放射状に延出する放射リブとを有する
ことを特徴とする請求項２〜４いずれか一項に記載のモータユニット。
【請求項６】
前記受風領域が側方に向く姿勢が前記インバータハウジングの設置姿勢とされ、
前記設置姿勢にて、前記放熱部は、前記環状リブよりも上方に延出する前記放射リブを１つのみ有し、
前記環状リブよりも上方に延出する前記放射リブに接続された前記放熱フィンは、前記環状リブから離れるに連れて下方に向かうように傾斜配置されている
ことを特徴とする請求項５記載のモータユニット。
【請求項７】
前記ファン側から見て、前記貫通開口を中心する周方向に隣り合う前記放射リブと前記放射リブとの間に配置された複数の前記放熱フィンは、互いに平行とされていることを特徴とする請求項５または６記載のモータユニット。
【発明の詳細な説明】
【技術分野】
【０００１】
本発明は、モータユニットに関するものである。
【背景技術】
【０００２】
近年、モータとインバータとが一体化されたモータユニットを小型二輪車等の車両に搭載することが提案されている。例えば、特許文献１には、インバータを冷却するためのファンを備えるモータユニットが開示されている。特許文献１に開示されたモータユニットは、モータのシャフトに接続されたファンに対してインバータが対向して配置されており、ファンからの送風をインバータに当てることによってインバータを冷却している。このような特許文献１に開示されたモータユニットでは、インバータの冷却効率を向上させるために、インバータハウジングに対して複数の放熱フィンを設けている。このような放熱フィンを多数設けることによって放熱面積が増加し、インバータを効率的に冷却することが可能となる。
【先行技術文献】
【特許文献】
【０００３】
【特許文献１】特開２０１７−１４７９１９号公報
【発明の概要】
【発明が解決しようとする課題】
【０００４】
しかしながら、モータユニットが車両に搭載されると、ファン等に巻き込まれた小さな異物等が意図せずに放熱フィンに衝突する可能性を考慮する必要がある。このため、車両に搭載されるモータユニットにおいては、インバータハウジングに設けられる放熱フィンの強度の確保が重要である。
【０００５】
本発明は、上述する問題点に鑑みてなされたもので、モータとインバータとが一体化されたモータユニットにおいて、インバータハウジングに設けられた放熱フィンの強度向上を図ることを目的とする。
【課題を解決するための手段】
【０００６】
本発明は、上記課題を解決するための手段として、以下の構成を採用する。
【０００７】
第１の発明は、モータとインバータとが一体化されたモータユニットであって、上記インバータが、複数のスイッチング素子を有するコアユニットと、上記コアユニットを覆うインバータハウジングとを有し、上記インバータハウジングが、上記コアユニットを収容する囲壁と、上記囲壁の外壁面に立設されたリブと、上記囲壁の外壁面及び上記リブに接続された複数の放熱フィンとを有するという構成を採用する。
【０００８】
第２の発明は、上記第１の発明において、上記インバータハウジングが、ファンに対向配置される受風領域に対して設けられかつ複数の上記リブと複数の上記放熱フィンとを有する放熱部を有するという構成を採用する。
【０００９】
第３の発明は、上記第２の発明において、上記放熱部の上記リブが、上記放熱フィンよりも厚くかつ上記ファン側から見て上記スイッチング素子を避けて配置されているという構成を採用する。
【００１０】
第４の発明は、上記第２または第３の発明において、上記囲壁が、上記ファン側から見て上記コアユニットを覆うと共に上記放熱部が設けられた天壁部と、上記天壁部の縁部から上記コアユニットの側面に沿って延出する側壁部とを有し、上記インバータハウジングが、上記側壁部の外壁面に立設されると共に上記側壁部の上記天壁部からの延出方向に沿って延びる側壁放熱フィンを複数備え、上記側壁放熱フィンの配列間隔が、上記放熱部の上記放熱フィンの配列間隔よりも広いという構成を採用する。
【００１１】
第５の発明は、上記第２〜第４いずれかの発明において、上記インバータハウジングが、上記モータのシャフトが挿通される貫通開口を有し、上記放熱部が、上記リブとして、上記貫通開口を囲う環状リブと、環状リブを中心として上記環状リブから放射状に延出する放射リブとを有するという構成を採用する。
【００１２】
第６の発明は、上記第５の発明において、上記受風領域が側方に向く姿勢が上記インバータハウジングの設置姿勢とされ、上記設置姿勢にて、上記放熱部が、上記環状リブよりも上方に延出する上記放射リブを１つのみ有し、上記環状リブよりも上方に延出する上記放射リブに接続された上記放熱フィンは、上記環状リブから離れるに連れて下方に向かうように傾斜配置されているという構成を採用する。
【００１３】
第７の発明は、上記第５または第６の発明において、上記ファン側から見て、上記貫通開口を中心する周方向に隣り合う上記放射リブと上記放射リブとの間に配置された複数の上記放熱フィンが、互いに平行とされているという構成を採用する。
【発明の効果】
【００１４】
本発明によれば、インバータハウジングの囲壁に対して放熱フィンが接続されるリブが立設されている。このため、放熱フィンを囲壁上に支えなく設置する場合と比較して、本発明では放熱フィンの強度が向上される。このため、本発明によれば、モータとインバータとが一体化されたモータユニットにおいて、インバータハウジングに設けられた放熱フィンの強度向上を図ることが可能となる。
【図面の簡単な説明】
【００１５】
【図１】本発明の第１実施形態におけるモータユニットの概略構成を模式的に示す断面図である。
【図２】図１のＡ−Ａ断面図である。
【図３】本発明の第１実施形態におけるモータユニットが備えるインバータハウジングの斜視図である。
【図４】本発明の第１実施形態におけるモータユニットが備えるインバータハウジングの変形例の斜視図である。
【図５】本発明の第２実施形態におけるモータユニットが備えるインバータハウジングの正面図である。
【発明を実施するための形態】
【００１６】
以下、図面を参照して、本発明に係るモータユニットの一実施形態について説明する。
【００１７】
（第１実施形態）
図１は、本実施形態のモータユニット１の概略構成を模式的に示す断面図である。この図に示すように、本実施形態のモータユニット１は、モータ２と、インバータ３と、ファン４と、ファンカバー５とを備えている。
【００１８】
モータ２は、モータハウジング２ａと、ステータコア２ｂと、ロータコア２ｃと、シャフト２ｄとを備えている。モータハウジング２ａは、ステータコア２ｂ、ロータコア２ｃ及びシャフト２ｄを収容するハウジングである。ステータコア２ｂは、モータハウジング２ａの内壁に対して固定されており、ロータコア２ｃを囲うように環状に設けられている。このステータコア２ｂは、給電されることによりロータコア２ｃを回転させる磁力を発生させる。ロータコア２ｃは、ステータコア２ｂの内側に配置されており、シャフト２ｄと固定されている。このロータコア２ｃは、ステータコア２ｂで発生された磁力によって回転可能とされている。
【００１９】
シャフト２ｄは、ロータコア２ｃに対して固定されており、ロータコア２ｃの回転に伴って回転される。本実施形態においては、シャフト２ｄは、モータハウジング２ａに対して固定された軸受により軸支されており、インバータ３を貫通して先端部がファン４に固定され、後端部が不図示のギアに固定されている。このようなシャフト２ｄは、ステータコア２ｂとロータコア２ｃとによって発生された回転動力をファン及び不図示のギアに対して伝達する。
【００２０】
このようなモータ２は、インバータ３によって３相交流に変換された電力が供給され、供給された電力から回転動力を生成すると共に、生成した回転動力をシャフト２ｄによってファン４及びギアに伝達する。
【００２１】
インバータ３は、インバータハウジング３ａと、コアユニット３ｂとを有している。インバータハウジング３ａは、コアユニット３ｂを覆うカバー部材であると共にコアユニット３ｂの熱を吸収かつ外部に放出するヒートシンクとして機能する。つまり、本実施形態においては、コアユニット３ｂと覆うカバー部材と、コアユニット３ｂの熱を吸収かつ外部に放出するヒートシンクとしてインバータハウジング３ａとして一体化されている。コアユニット３ｂは、インバータハウジング３ａに対して固定された状態で、インバータハウジング３ａの内部に収容されている。このコアユニット３ｂは、不図示のバッテリから供給される直流電力を３相交流に変換してモータ２のステータコア２ｂに供給する。このようなコアユニット３ｂは、３つのスイッチング素子３ｂ１（図２参照）や、コンデンサ等が実装される不図示の基板等を備えている。
【００２２】
図２は、図１のＡ−Ａ線断面図である。また、図３は、インバータハウジング３ａの斜視図である。これらの図に示すように、インバータハウジング３ａは、熱伝導性の高い金属（例えばアルミニウム）によって一体的に成形されており、囲壁３ｃと、放熱部３ｄと、側壁放熱フィン３ｅと、インバータハウジング３ａをネジなどによってモータ２に取り付けるのに用いられる固定部３ｆとを有している。
【００２３】
囲壁３ｃは、コアユニット３ｂを収容する椀型の部位であり、天壁部３ｃ１と側壁部３ｃ２とを有している。天壁部３ｃ１は、ファン４側から見てコアユニット３ｂを覆う部位であり、側壁部３ｃ２が接続される縁部がモータ２側に向けて湾曲されている。この天壁部３ｃ１の外壁面（ファン４側の表面）には、放熱部３ｄが設けられている。また、ファン４側から見て、天壁部３ｃ１の中央部には、天壁部３ｃ１を貫通する貫通開口３ｃ３が設けられている。この貫通開口３ｃ３には、モータ２のシャフト２ｄが挿通される。
【００２４】
側壁部３ｃ２は、天壁部３ｃ１を囲うように、天壁部３ｃ１の縁部からコアユニット３ｂの側面に沿って延出している。つまり、側壁部３ｃ２は、天壁部３ｃ１からシャフト２ｄに沿ってモータ２側に向けて延出している。この側壁部３ｃ２は、コアユニット３ｂを側方（シャフト２ｄの径方向外側）から覆うように囲っている。
【００２５】
このような囲壁３ｃは、天壁部３ｃ１と側壁部３ｃ２とによって囲まれた空間にコアユニット３ｂを収容しており、コアユニット３ｂを異物から保護すると共にコアユニット３ｂの熱を吸熱して放熱部３ｄや側壁放熱フィン３ｅに伝達する。
【００２６】
放熱部３ｄは、リブ３ｇと、放熱フィン３ｈとを有している。リブ３ｇは、囲壁３ｃの天壁部３ｃ１の外壁面に立設された板状の部位であり、板状とされた放熱フィン３ｈよりも厚さ寸法が大きく設定されている。本実施形態においては、このようなリブ３ｇとして、環状リブ３ｇ１と、４つの放射リブ３ｇ２とが設けられている。
【００２７】
環状リブ３ｇ１は、囲壁３ｃの天壁部３ｃ１に設けられた貫通開口３ｃ３を囲うように円環状に設けられている。つまり、ファン４側から見て、貫通開口３ｃ３は、環状リブ３ｇ１によって全周が囲まれている。この環状リブ３ｇ１は、全ての放射リブ３ｇ２が接続されており、各々の放射リブ３ｇ２を延長した直線の交点に配置されている。
【００２８】
放射リブ３ｇ２は、環状リブ３ｇ１を中心とした径方向に沿って放射状に延出されたリブであり、本実施形態においては４つ設けられている。これらの放射リブ３ｇ２は、環状リブ３ｇ１を中心とした周方向に等間隔で配置されている。つまり、本実施形態においては、環状リブ３ｇ１を中心とした周方向に９０°間隔で放射リブ３ｇ２が設けられている。
【００２９】
これらのリブ３ｇは、図２及び図３に示すように、ファン４側から見て直線状とされた放熱フィン３ｈの一端が接続されている。つまり、本実施形態においては、放熱フィン３ｈの一端がいずれかのリブ３ｇによって支持されている。また、本実施形態においては、全ての放熱フィン３ｈの一端がいずれかのリブ３ｇに接続されている。つまり、全ての放熱フィン３ｈがいずれかのリブ３ｇによって支えられている。
【００３０】
また、図２に示すように、環状リブ３ｇ１及び放射リブ３ｇ２は、ファン４側から見て、インバータ３のスイッチング素子３ｂ１と重ならない位置に配置されている。つまり、本実施形態において環状リブ３ｇ１及び放射リブ３ｇ２は、ファン４側から見てスイッチング素子３ｂ１を避けて配置されている。
【００３１】
放熱フィン３ｈは、ファン４側から見て、リブ３ｇよりも厚さ寸法が小さくされた板状の部位であり、環状リブ３ｇ１あるいは放射リブ３ｇ２のいずれかに一方の端部が接続されている。この放熱フィン３ｈは、囲壁３ｃを通じて伝わるコアユニット３ｂが発した熱をファン４から供給される空気流に放出する。
【００３２】
本実施形態においては、ファン４側から見て、貫通開口３ｃ３を中心する周方向に隣り合う放射リブ３ｇ２と放射リブ３ｇ２との間に配置された複数の放熱フィン３ｈは、互いに平行とされている。例えば貫通開口３ｃ３を中心する周方向に隣り合う放射リブ３ｇ２と放射リブ３ｇ２との間の領域を１区画とした場合に、この１区画における上記周方向における中心位置に配置された放熱フィン３ｈが貫通開口３ｃ３を中心とする径方向に沿って環状リブ３ｇ１から延出されている。さらに、同区画における他の放射リブ３ｇ２は、上述の中心に配置された放熱フィン３ｈと平行に配置されている。
【００３３】
このような放熱部３ｄは、ファン４から送風される空気流に対して、放熱フィン３ｈを介して放熱する。なお、本実施形態においては、囲壁３ｃの天壁部３ｃ１の外壁面は、ファン４に対向配置されており、ファン４からの送風を正面から受ける受風領域とされている。放熱部３ｄは、このような受風領域である囲壁３ｃの天壁部３ｃ１の外壁面に対して設けられている。
【００３４】
側壁放熱フィン３ｅは、囲壁３ｃの側壁部３ｃ２の外壁面に立設されており、天壁部３ｃ１からの側壁部３ｃ２の延出方向に沿って延びる板状の部位である。この側壁放熱フィン３ｅは、図２に示すように、固定部３ｆが設けられた領域を避けて、貫通開口３ｃ３を中心とした周方向に等間隔で配列されている。
【００３５】
これらの側壁放熱フィン３ｅの配列間隔は、放熱部３ｄが備える放熱フィン３ｈの配列間隔よりも広く設定されている。側壁部３ｃ２とファンカバー５とに挟まれた空間は、ファン４からの空気流がファンカバー５の外部に向けて流れる流路となる。このため、このような流路に配置される側壁放熱フィン３ｅの配列間隔を広く確保することによって、側壁部３ｃ２とファンカバー５とに挟まれた空間における圧力損失を小さく抑えることが可能となる。これらの側壁放熱フィン３ｅは、側壁部３ｃ２とファンカバー５とに挟まれた空間を流れる空気流に対して放熱する。
【００３６】
図１に戻り、ファン４は、放熱部３ｄに対して一定の隙間を空けて正対した状態で配置されており、モータ２のシャフト２ｄに対して固定されている。このファン４は、シャフト２ｄを介して回転されることによって、放熱部３ｄと反対側から空気を取り込んで放熱部３ｄ側に向けて空気を圧送する。つまり、ファン４は、モータ２から回転動力が伝達されて回転されることによって、放熱部３ｄに向かう空気流を形成する。
【００３７】
ファンカバー５は、例えば樹脂によって形成されており、インバータハウジング３ａに対して嵌合されている。このファンカバー５の内壁面は、インバータハウジング３ａの固定部３ｆに対して当接されている。またファンカバー５は、ファン４を外側から囲うように収容しており、内部に空気を取り込むための吸入開口５ａを有している。なお、吸入開口５ａには、必要に応じて、異物の侵入を防止するための網状部等が設けられる。
【００３８】
このような本実施形態のモータユニット１では、インバータ３を介してモータ２に給電がされると、モータ２によって回転動力が生成され、モータ２から不図示のギア等を介して車両のタイヤ等に動力が伝達される。また、モータ２によって生成された回転動力の一部はシャフト２ｄを通じてファン４に伝達され、ファン４が回転駆動される。
【００３９】
ファン４が回転駆動されると、ファンカバー５の吸入開口５ａからファンカバー５の内部に空気が取り込まれ、インバータハウジング３ａの放熱部３ｄに向かう空気流が形成される。ファン４によって形成された空気流は、放熱部３ｄに当たった後に貫通開口３ｃ３を中心とする径方向に広がり、その後、囲壁３ｃの側壁部３ｃ２とファンカバー５との間の空間を通じてファンカバー５の外部に排出される。
【００４０】
放熱部３ｄの放熱フィン３ｈから上述のような空気流に対して放熱され、側壁放熱フィン３ｅからも空気流に対して放熱される。この結果、インバータ３のコアユニット３ｂによって発生した熱が空気流を介してインバータ３の外部に排出される。
【００４１】
以上のような本実施形態のモータユニット１においては、インバータ３が、複数のスイッチング素子３ｂ１を有するコアユニット３ｂと、コアユニット３ｂを覆うインバータハウジング３ａとを有している。また、インバータハウジング３ａは、コアユニット３ｂを収容する囲壁３ｃと、囲壁３ｃの外壁面に立設されたリブ３ｇと、囲壁３ｃの外壁面及びリブ３ｇに接続された複数の放熱フィン３ｈとを有している。
【００４２】
このような本実施形態のモータユニット１によれば、インバータハウジング３ａの囲壁３ｃに対して放熱フィン３ｈが接続されるリブ３ｇが立設されている。このため、放熱フィン３ｈを囲壁３ｃ上に支えなく設置する場合と比較して、本実施形態のモータユニット１では放熱フィン３ｈの強度が向上される。このため、本実施形態のモータユニット１によれば、モータ２とインバータ３とが一体化されたモータユニットにおいて、インバータハウジング３ａに設けられた放熱フィン３ｈの強度向上を図ることが可能となる。
【００４３】
また、本実施形態のモータユニット１においては、インバータハウジング３ａが、ファン４に対向配置される受風領域に対して設けられかつ複数のリブ３ｇと複数の放熱フィン３ｈとを有する放熱部３ｄを有している。このような本実施形態のモータユニット１によれば、ファン４に対向配置された受風領域に放熱フィン３ｈが配置されるため、空気流を確実の放熱フィン３ｈに沿って流すことができ、冷却効果を高めることが可能となる。
【００４４】
また、本実施形態のモータユニット１においては、放熱部３ｄのリブ３ｇは、放熱フィン３ｈよりも厚くかつファン４側から見てスイッチング素子３ｂ１を避けて配置されている。リブ３ｇが放熱フィン３ｈよりも厚いことにより、放熱フィン３ｈと同一材料により形成されたリブ３ｇは、放熱フィン３ｈよりも熱容量が大きくなる。このため、貫通開口３ｃ３を中心とする周方向に隣接した２つの放射リブ３ｇ２に挟まれたある区画における熱が、リブ３ｇに吸収され、放熱フィン３ｈを越えて他の区画に伝わることを抑制できる。つまり、本実施形態においては、ファン４側から見てリブ３ｇがスイッチング素子３ｂ１を避けて配置されているため、あるスイッチング素子３ｂ１が配置される区画から、そのスイッチング素子３ｂ１が発した熱が他の区画に伝達することを防止できる。このため、スイッチング素子３ｂ１同士の熱干渉を防止することができる。
【００４５】
また、本実施形態のモータユニット１においては、囲壁３ｃが、ファン４側から見てコアユニット３ｂを覆うと共に放熱部３ｄが設けられた天壁部３ｃ１と、天壁部３ｃ１の縁部からコアユニット３ｂの側面に沿って延出する側壁部３ｃ２とを有し、インバータハウジング３ａが、側壁部３ｃ２の外壁面に立設されると共に側壁部３ｃ２の天壁部３ｃ１からの延出方向に沿って延びる側壁放熱フィン３ｅを複数備え、側壁放熱フィン３ｅの配列間隔が、放熱部３ｄの放熱フィン３ｈの配列間隔よりも広い。このため、側壁部３ｃ２とファンカバー５とに挟まれた空間における圧力損失を小さく抑えることが可能となり、放熱部３ｄで空気流に放出された熱を効率的に外部に排出することが可能となる。
【００４６】
なお、本実施形態のモータユニット１においては、側壁放熱フィン３ｅは、例えば図４に示すように、側壁部３ｃ２から天壁部３ｃ１の湾曲した縁部に至る長さとすることも可能である。このような側壁放熱フィン３ｅを長くすることによって、インバータハウジング３ａの表面積をより増大させ、冷却効果をより高めることが可能となる。
【００４７】
また、本実施形態のモータユニット１においては、インバータハウジング３ａが、モータのシャフト２ｄが挿通される貫通開口３ｃ３を有し、放熱部３ｄが、リブ３ｇとして、貫通開口３ｃ３を囲う環状リブ３ｇ１と、環状リブ３ｇ１を中心として環状リブ３ｇ１から放射状に延出する放射リブ３ｇ２とを有している。このような本実施形態のモータユニット１によれば、インバータハウジング３ａが貫通開口３ｃ３を有しているため、ファン４をモータユニット１に搭載しつつ、放熱部３ｄに対向してファン４を設置することが可能となる。
【００４８】
また、本実施形態のモータユニット１においては、ファン４側から見て、貫通開口３ｃ３を中心する周方向に隣り合う放射リブ３ｇ２と放射リブ３ｇ２との間に配置された複数の放熱フィン３ｈは、互いに平行とされている。このため、放熱フィン３ｈ同士の間を空気流が円滑に流れることができ、冷却効果を高めることが可能となる。
【００４９】
（第２実施形態）
次に、本発明の第２実施形態について説明する。なお、本実施形態の説明において、上記第１実施形態と同様の部分については、その説明を省略あるいは簡略化する。
【００５０】
図５は、本実施形態のモータユニットが備えるインバータハウジング３ｉの概略構成を模式的に示す正面図である。インバータハウジング３ｉは、本実施形態のモータユニットが車両に搭載された場合には、受風領域（すなわち放熱部３ｄが設けられた面）が水平方向（側方）を向く姿勢とされる。つまり、インバータハウジング３ｉは、受風領域が側方に向く姿勢が設置姿勢とされている。
【００５１】
本実施形態においてインバータハウジング３ｉは、図５に示すように、放熱部３ｄが、環状リブ３ｇ１よりも上方に延出する放射リブ３ｇ２を１つのみ有している。環状リブ３ｇ１よりも上方に延出する放射リブ３ｇ２は、環状リブ３ｇ１から上方に向けて延出されている。
【００５２】
さらに、本実施形態においては、環状リブ３ｇ１よりも上方に延出する放射リブ３ｇ２と、この放射リブ３ｇ２に対して貫通開口３ｃ３を中心とする周方向に隣接する放射リブ３ｇ２とに挟まれた区画に配置される放熱フィン３ｈは、リブ３ｇ（環状リブ３ｇ１あるいは放射リブ３ｇ２）から離れるに連れて下方に向かうように傾斜配置されている。つまり、環状リブ３ｇ１よりも上方に延出する放射リブ３ｇ２に接続された放熱フィン３ｈは、環状リブ３ｇ１から離れるに連れて下方に向かうように傾斜配置されている。
【００５３】
このような本実施形態のモータユニットにおいては、設置姿勢とされたインバータハウジング３ｉの少なくとも貫通開口３ｃ３より上方の領域にて、放熱フィン３ｈが先端に向かうに連れて下方に向かうように傾斜されている。このため、雨水や結露による凝縮水が放熱フィン３ｈに沿って流れることでインバータハウジング３ｉの外部に排出され、放熱フィン３ｈ同士の間に滞留することが抑止される。したがって、本実施形態のモータユニットによれば、水分がインバータハウジング３ｉの表面に留まることを抑止し、金属によって形成されたインバータハウジング３ｉが錆びることを防止することが可能となる。
【００５４】
以上、添付図面を参照しながら本発明の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５５】
例えば、上記実施形態においては、リブ３ｇとして環状リブ３ｇ１と放射リブ３ｇ２とを備える構成について説明した。しかしながら、本発明はこれに限定されるものではない。例えば、環状リブ３ｇ１と放射リブ３ｇ２とのいずれかのみを有する構成を採用することも可能である。
【００５６】
また、上記実施形態においては、放射リブ３ｇ２を３つあるいは４つ備える構成について説明した。しかしながら、本発明はこれに限定されるものではない。例えば、単一の放射リブ３ｇ２を備える構成や、２つあるいは５つ以上の放射リブ３ｇ２を備える構成を採用することも可能である。
【００５７】
また、上記実施形態においては、モータユニット１がファン４を備える構成を採用している。しかしながら、本発明はこれに限定されるものではない。例えば、本発明は、ファン４を備えない構成を採用することも可能である。このような場合には、車両に対してモータユニットと別体で設けられたファンによる空気流や、車両の走行により発生する空気流に放熱フィン３ｈから放熱を行う。
【００５８】
また、上記実施例においては、ファンカバー５は、例えば樹脂によって形成されており、インバータハウジング３ａに対して嵌合されている。しかしながら、本発明はこれに限定されるものではない。例えば、本発明は、ファンカバー５がモータ２に対して嵌合する構成を採用することも可能である。
【００５９】
また、上記実施形態においては、側壁放熱フィン３ｅを備える構成について説明した。しかしながら、本発明はこれに限定されるものではない。側壁放熱フィン３ｅを備えない構成を採用することも可能である。また、側壁放熱フィン３ｅを支えるリブを新たに設置する構成を採用することも可能である。
【符号の説明】
【００６０】
１……モータユニット、２……モータ、３……インバータ、３ａ……インバータハウジング、３ｂ……コアユニット、３ｂ１……スイッチング素子、３ｃ……囲壁、３ｃ１……天壁部、３ｃ２……側壁部、３ｃ３……貫通開口、３ｄ……放熱部、３ｅ……側壁放熱フィン、３ｆ……固定部、３ｇ……リブ、３ｇ１……環状リブ、３ｇ２……放射リブ、３ｈ……放熱フィン、３ｉ……インバータハウジング、４……ファン
【図１】
2020137205.tif 000003
【図２】
2020137205.tif 000004
【図３】
2020137205.tif 000005
【図４】
2020137205.tif 000006
【図５】
2020137205.tif 000007